(57)【特許請求の範囲】
【請求項１】
イオン化した薬物をイオントフォレーシスにより経皮投与する装置本体、および、前記装置本体から延伸し、前記装置本体および前記装置本体に対して電力を供給する電源部に接続する接続部を有するイオントフォレーシス装置と、
少なくとも一部が前記接続部に対して固着されることにより、前記装置本体および前記接続部の一部を気密に包装する包装部材と
を備え、
前記包装部材が開封されて除去される場合に、前記包装部材の前記接続部に対して固着された部分が前記接続部に残るべく前記包装部材の切断線を案内する切断案内部を有するイオントフォレーシス装置包装品。
【請求項２】
前記切断案内部は、前記接続部に対して固着された部分と他の部分との間に設けられた厚さ方向の溝を含む請求項１に記載のイオントフォレーシス装置包装品。
【請求項３】
前記切断案内部は、前記接続部に対して固着された部分の近傍に設けられた切込みを含む請求項１または２に記載のイオントフォレーシス装置包装品。
【請求項４】
前記包装部材において、前記接続部に対して固着された部分における固着の強さが他の部分における固着の強さより強い請求項１から請求項３のいずれかに記載のイオントフォレーシス装置包装品。
【請求項５】
前記装置本体は、
電源における、イオン化した前記薬物と同じ第１導電型の端子に電気的に接続される第１電極部材、および、前記薬物を含む薬液を保持しており、前記第１電極部材により作られる電場内に配される薬液保持部を有する作用側電極構造体と、
前記電源における、前記第１導電型と反対の導電型である第２導電型の端子に電気的に接続される非作用側電極構造体と
を有する請求項１に記載のイオントフォレーシス装置包装品。
【請求項６】
前記作用側電極構造体は、
前記第１電極部材に電気的に接続され、電解液を保持している第１電解液保持部、
前記第１電極部材との間で前記第１電解液保持部を挟み、前記第２の導電型のイオンを選択的に透過する第２導電型のイオン交換膜、および、
前記第２導電型のイオン交換膜との間で前記薬液保持部を挟み、前記第１の導電型のイオンを選択的に透過する第１導電型のイオン交換膜
をさらに有する請求項５に記載のイオントフォレーシス装置包装品。
【請求項７】
前記非作用側電極構造体は、
前記電源の前記端子に電気的に接続される第２電極部材、
前記第２電極部材に電気的に接続され、電解液を保持している第２電解液保持部、
前記第２電極部材との間で前記第２電解液保持部を挟み、前記第２電極部材と異なる電気的な極性を有するイオンを選択的に透過する第１導電型のイオン交換膜、
前記第１導電型のイオン交換膜において前記第２電解液保持部と反対側に配され、電解液を保持している第３電解液保持部、および、
前記第１導電型のイオン交換膜との間で前記第３電解液保持部を挟み、前記第２電極部材と同じ電気的な極性を有するイオンを選択的に透過する第２導電型のイオン交換膜
を有する請求項６に記載のイオントフォレーシス装置包装品。
【発明の詳細な説明】
【技術分野】
【０００１】
本発明は、イオントフォレーシス装置包装品に関する。特に本発明は、薬物イオンをイオントフォレーシスにより経皮的に投与するイオントフォレーシス装置が気密に包装されたイオントフォレーシス装置包装品に関する。
【背景技術】
【０００２】
人間または動物の身体の所望部位における皮膚または粘膜などの生体表面（以下、これらをまとめて「皮膚」と称す）に対して、薬物イオンをイオントフォレーシスにより経皮的に投与するイオントフォレーシス装置が知られている（例えば、特許文献１を参照）。なお、イオントフォレーシス（ｉｏｎｔｏｐｈｏｒｅｓｉｓ）は、イオントフォレーゼ、イオン導入法、イオン浸透療法などと呼ばれることもある。
【特許文献１】特開２０００−２２９１２８号公報
【発明の開示】
【発明が解決しようとする課題】
【０００３】
上記特許文献１に開示されているイオントフォレーシス装置は、薬物イオンの投与対象者である患者に対してイオントフォレーシスを適用する前の保管時において、イオントフォレーシス装置の薬液を保持している部分からの薬物および薬物が溶解している溶媒の揮発による減少、および、このような揮発により気化した薬液による電池など電源部の腐食が課題であった。この場合に、イオントフォレーシス装置の装置本体を電源部に対して包装部材を溶着等により固着して、気密に包装することが考えられる。しかしながら、この場合には電源部と装置本体とを接続する接続部に包装部材が溶着される。よって、包装部材を開封する場合に、接続部の表面が当該包装部材につられて剥がれるという不具合がある。
【課題を解決するための手段】
【０００４】
上記課題を解決するために、本発明の第１の形態においては、イオン化した薬物をイオントフォレーシスにより経皮投与する装置本体、および、装置本体から延伸し、装置本体および装置本体に対して電力を供給する電源部に接続する接続部を有するイオントフォレーシス装置と、少なくとも一部が接続部に対して固着されることにより、装置本体および接続部の一部を気密に包装する包装部材とを備え、包装部材が開封されて除去される場合に、包装部材の接続部に対して固着された部分が接続部に残るべく包装部材の切断線を案内する切断案内部を有するイオントフォレーシス装置包装品が提供される。これにより、包装部材を開封して除去するときに、接続部の配線などを傷めることなく開封して除去することができる。
【０００５】
上記イオントフォレーシス装置包装品において、切断案内部は、接続部に対して固着された部分と他の部分との間に設けられた厚さ方向の溝を含んでもよい。これにより、包装部材を開封して除去する場合に、切断案内部は、接続部に対して固着された部分が接続部に残るように切断線をより確実に案内することができる。
【０００６】
上記イオントフォレーシス装置包装品において、切断案内部は、接続部に対して固着された部分の近傍に設けられた切込みを含んでもよい。これにより、包装部材を開封して除去する場合に、切断案内部は、接続部に対して固着された部分が接続部に残るように切断線をより確実に案内することができる。
【０００７】
上記包装部材において、接続部に対して固着された部分における固着の強さが他の部分における固着の強さより強いことが好ましい。これにより、包装部材を開封して除去する場合に、接続部の配線などを傷めることなく開封して除去することができる。
【０００８】
上記イオントフォレーシス装置において、装置本体は、電源における、イオン化した薬物と同じ第１導電型の端子に電気的に接続される第１電極部材、および、薬物を含む薬液を保持しており、第１電極部材により作られる電場内に配される薬液保持部を有する作用側電極構造体と、電源における、第１導電型と反対の導電型である第２導電型の端子に電気的に接続される非作用側電極構造体とを有してもよい。これにより、薬物を含む薬液をさらに準備することなく、イオントフォレーシスを適用することができる。
【０００９】
また、上記作用側電極構造体は、第１電極部材に電気的に接続され、電解液を保持している第１電解液保持部、第１電極部材との間で第１電解液保持部を挟み、第２の導電型のイオンを選択的に透過する第２導電型のイオン交換膜、および、第２導電型のイオン交換膜との間で薬液保持部を挟み、第１の導電型のイオンを選択的に透過する第１導電型のイオン交換膜をさらに有してもよい。これにより、作用側電極構造体と当接する皮膚の熱傷または炎症などを防ぐことができるだけでなく、皮膚に対する通電が安定した状態のもとで薬物イオンを投与することができるので、安全かつ効率よく薬物イオンを生体へ投与することができる。
【００１０】
また、上記非作用側電極構造体は、電源の端子に電気的に接続される第２電極部材、第２電極部材に電気的に接続され、電解液を保持している第２電解液保持部、第２電極部材との間で第２電解液保持部を挟み、第２電極部材と異なる電気的な極性を有するイオンを選択的に透過する第１導電型のイオン交換膜、第１導電型のイオン交換膜において第２電解液保持部と反対側に配され、電解液を保持している第３電解液保持部、および、第１導電型のイオン交換膜との間で第３電解液保持部を挟み、第２電極部材と同じ電気的な極性を有するイオンを選択的に透過する第２導電型のイオン交換膜を有してもよい。これにより、非作用側電極構造体と当接する皮膚の熱傷または炎症などを防ぐことができるだけでなく、さらに皮膚に対する通電が安定した状態のもとで薬物イオンを投与することができるので、安全かつ効率よく薬物イオンを生体へ投与することができる。
【００１１】
なお、上記の発明の概要は、本発明の必要な特徴の全てを列挙したものではなく、これらの特徴群のサブコンビネーションもまた、発明となりうる。
【発明を実施するための最良の形態】
【００１２】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１３】
図１は、本実施形態に係るイオントフォレーシス装置包装品１５の上面図を示す。図２は、図１のａ−ａ'断面を図１における右側から見た断面図を示す。図３は、図１のｂ−ｂ'断面を図１における下側から見た断面図を示す。図１に示すように、イオントフォレーシス装置包装品１５は、装置本体５０、電源部６０、および装置本体５０と電源部６０とを繋ぐ接続部７０を有するイオントフォレーシス装置１０と、上側包装部材８２および下側包装部材８４が溶着面９０および接続部溶着面９４で溶着して略袋状を成す包装部材８０とを備える。
【００１４】
上側包装部材８２および下側包装部材８４は、非透水性であり、さらに水蒸気などの気体を透過しにくい材料であることが好ましい。したがって、例えばアルミ箔、ポリエステルフィルム、ポリプロピレンフィルム、あるいはポリエチレンフィルム等を用いることができる。また、上側包装部材８２および下側包装部材８４をヒートシールによって溶着する場合には、上記フィルム等を複数積層した材料、または、開封時の剥離を容易にするために上記フィルム等に高分子樹脂をコーティングした材料などを用いてもよい。
【００１５】
図２に示すように、接続部７０は、表面に作用側導線２０５および非作用側導線３０５が形成された基材７２、および基材７２の断面における周囲に配されたコート材７４を有する。基材７２は、例えばポリイミドフィルムなどの電気絶縁性および可撓性を有する材料であることが好ましく、作用側導線２０５および非作用側導線３０５を基材７２の表面に形成する方法は、例えば銅などの導電性材料を基材７２の表面に蒸着あるいはフォトエッチングする方法などでよい。コート材７４は、上側包装部材８２および下側包装部材８４と同じ材質か、あるいは上側包装部材８２および下側包装部材８４との溶着性に優れた材料であることが好ましい。
【００１６】
図１から図３に示すように、上側包装部材８２および下側包装部材８４は、接続部溶着面９４において、接続部７０を上下から挟むようにして接続部７０と隙間なく溶着される。これにより、イオントフォレーシス装置１０の装置本体５０、および接続部７０の接続部溶着面９４よりも装置本体５０の側にある部分は、包装部材８０の内部に気密に密閉される。
【００１７】
上側包装部材８２および下側包装部材８４を固着する方法は、上記のようにヒートシールにより溶着する方法に限定されない。各種接着剤で接着する方法、あるいは、クリップ等により機械的に圧着する方法により接着あるいは圧着してもよく、これらの方法の組み合わせでもよい。イオントフォレーシス装置包装品１５は、包装部材８０で包装されることにより、イオントフォレーシス装置１０の装置本体５０、および接続部７０の接続部溶着面９４よりも装置本体５０の側にある部分が気密に密閉される。よって、薬物および薬物が溶解している溶媒の揮発による減少、および、このような揮発により気化した薬物による電源部６０の腐食などを防ぐことができる。
【００１８】
また、図１から図３に示すように、包装部材８０は、溝４１０および切込み４２０から成る切断案内部４００を有する。溝４１０は、溶着面９０および接続部溶着面９４の間の位置における上側包装部材８２および下側包装部材８４それぞれの表面から、例えば厚み方向の半分まで形成されている。また、図１に示すように、溝４１０は、上側包装部材８２および下側包装部材８４それぞれの表面において、接続部溶着面９４を囲むように形成されている。その端部には上側包装部材８２および下側包装部材８４のそれぞれを厚み方向に貫通する切込み４２０が設けられている。さらに、図１および図２に示すように、包装部材８０は、溶着面９０に隣接して非溶着面９２を有する。
【００１９】
イオントフォレーシスを適用するときには、図１に示すイオントフォレーシス装置包装品１５において、まず、非溶着面９２から、上側包装部材８２を図２における上方へ引っ張る。このとき、上側包装部材８２は、切断案内部４００で切断され、上側包装部材８２のうちで図１における切断案内部４００に囲まれる部分は、接続部７０と溶着したまま残される。次に、下側包装部材８４を切込み４２０から溝４１０に沿って切断する。
【００２０】
図４は、包装部材８０が開封されて除去されたときの図１のｂ−ｂ'断面を図１における下側から見た断面図を示す。図５は、包装部材８０が開封されて除去されたときの図１における裏側から見た下面図を示す。図４および図５に示すように、上記開封操作によって、包装部材８０は、切断案内部４００の溝４１０に沿って切断されて、イオントフォレーシス装置１０と切り離される。したがって、上側包装部材８２および下側包装部材８４それぞれにおける接続部溶着面９４および切断案内部４００に囲まれる部分は、包装部材８０と切り離されて接続部７０と溶着したまま残される。
【００２１】
このように、切断案内部４００は、接続部７０に対して溶着された部分が接続部７０に残るように切断線を案内する。したがって、接続部溶着面９４が剥離されることなく包装部材８０を開封して除去することができるので、接続部７０の作用側導線２０５および非作用側導線３０５を傷めることなく開封して除去することができる。また、接続部溶着面９４における溶着の強さが溶着面９０における溶着の強さより強くてもよく、この場合、包装部材８０を開封して除去するときに、接続部溶着面９４がさらに剥離されにくくなるので、接続部７０の作用側導線２０５および非作用側導線３０５を傷めることなく開封して除去することができる。
【００２２】
図５に示すように、上記開封および除去によって、イオントフォレーシス装置１０の作用側電極構造体２００における皮膚との当接面である第１導電型のイオン交換膜２５０、および、粘着性を有する作用側粘着面２６２が露出する。また、同様に、イオントフォレーシス装置１０の非作用側電極構造体３００における皮膚との当接面である第２導電型のイオン交換膜３５０、および、粘着性を有する非作用側粘着面３６２が露出する。イオントフォレーシスを適用するときには、第１導電型のイオン交換膜２５０および作用側粘着面２６２を生体の皮膚における投与対象部位に当接して粘着保持するとともに、第２導電型のイオン交換膜３５０および非作用側粘着面３６２を上記投与対象部位の周囲あるいは連接した部位に当接して粘着保持する。ここで、第１導電型とは、陽または陰の一方の電気的な極性をいい、第２導電型とは、他方の電気的な極性をいう。
【００２３】
図６は、他の実施形態であるイオントフォレーシス装置包装品２５の上面図を示す。図６に示すイオントフォレーシス装置包装品２５は、図１に示すイオントフォレーシス装置包装品１５と同じ参照番号を付したものについては同様の構成であり説明を省略する。図６に示すように、イオントフォレーシス装置包装品２５の包装部材８０は、溝４３０、切込み４３５、溝４４０、および切込み４４５から成る切断案内部４０１を有する。すなわち、上側包装部材８２および下側包装部材８４は、それぞれ対称を成す位置に切断案内部４０１を有し、切込み４３５および切込み４４５は、上側包装部材８２および下側包装部材８４をそれぞれ厚み方向に貫通して設けられている。
【００２４】
イオントフォレーシスを適用するときには、図６に示すイオントフォレーシス装置包装品２５において、まず、切込み４３５から溝４３０に沿って包装部材８０を切断して、図６における溝４３０よりも左側の包装部材８０をイオントフォレーシス装置１０と切り離す。このとき、図６における溝４３０よりも右側の包装部材８０は、接続部７０と溶着したまま残される。次に、この残された部分を、図６に示す２カ所の切込み４４５から、それぞれ溝４４０に沿って切断する。以上の操作により、イオントフォレーシス装置包装品２５は開封され、上側包装部材８２および下側包装部材８４それぞれにおける溝４３０および溝４４０に囲まれる部分は、接続部７０と溶着したまま残される。
【００２５】
図７は、さらに他の実施形態であるイオントフォレーシス装置包装品３５の上面図を示す。図７に示すイオントフォレーシス装置包装品３５は、図１に示すイオントフォレーシス装置包装品１５と同じ参照番号を付したものについては同様の構成であり説明を省略する。図７に示すように、イオントフォレーシス装置包装品３５の包装部材８０は、切離用テープ４５０、切込み４５５、切離用テープ４６０、および切込み４６５から成る切断案内部４０２を有する。すなわち、上側包装部材８２および下側包装部材８４は、それぞれ対称を成す位置に切断案内部４０２を有し、切込み４５５および切込み４６５は、上側包装部材８２および下側包装部材８４をそれぞれ厚み方向に貫通して設けられている。
【００２６】
イオントフォレーシスを適用するときには、図７に示すイオントフォレーシス装置包装品３５において、まず、切込み４５５から切離用テープ４５０に沿って包装部材８０を切断して、図７における切離用テープ４５０よりも左側の包装部材８０をイオントフォレーシス装置１０と切り離す。このとき、図７における切離用テープ４５０よりも右側の包装部材８０は、接続部７０と溶着したまま残される。次に、この残された部分を、図７に示す切込み４６５から、それぞれ切離用テープ４６０に沿って切断する。以上の操作により、イオントフォレーシス装置包装品３５は開封され、上側包装部材８２および下側包装部材８４それぞれにおける切離用テープ４６０に囲まれる部分は、接続部７０と溶着したまま残される。
【００２７】
図７に示すイオントフォレーシス装置包装品３５の切離用テープ４５０（４６０）は、切込み４５５（４６５）から切離用テープ４５０（４６０）に沿って包装部材８０を切断する場合に、切断線を案内するものであれば特に限定されないが、例えば延伸フィルムのテープを包装部材８０に貼り付けたものが挙げられる。また、切離用テープ４５０（４６０）は、それぞれ１本のテープが切込み４５５（４６５）を起点として包装部材８０の上側包装部材８２および下側包装部材８４を一周するように配されていることが好ましい。
【００２８】
図８は、イオントフォレーシス装置１０の概略側面図を示す。図８に示すように、作用側電極構造体２００は、装置本体５０側から、皮膚に装着される場合の皮膚側に向かって、第１電極部材２１０、第１電解液保持部２２０、第２導電型のイオン交換膜２３０、薬液保持部２４０、および、第１導電型のイオン交換膜２５０をこの順に有し、上面および側面は、容器２６０で覆われている。第１電極部材２１０は、作用側導線２０５によって、電源部６０の第１導電型の端子に電気的に接続する。
【００２９】
第１電解液保持部２２０は、第１電極部材２１０に電気的に接続され、電解液を保持する。この電解液には、水の電気分解反応（水の酸化および還元反応）と比較して水の酸化還元電位より低い酸化還元電位を有する酸化および還元しやすい化合物が溶解した溶液を用いる。第２導電型のイオン交換膜２３０は、第１電極部材２１０との間で第１電解液保持部２２０を挟み、第２導電型のイオンを選択的に透過する。薬液保持部２４０は、薬物イオンを含む薬液を保持する。ここで、薬物イオンとは、薬物がイオン解離したアニオンおよびカチオンの一方であって、薬効を担う第１導電型のイオンをいう。第１導電型のイオン交換膜２５０は、第２導電型のイオン交換膜２３０との間で薬液保持部２４０を挟み、第１導電型のイオンを選択的に透過する。
【００３０】
一方、図８に示すように、非作用側電極構造体３００は、装置本体５０側から、皮膚に装着される場合の皮膚側に向かって、第２電極部材３１０、第２電解液保持部３２０、第１導電型のイオン交換膜３３０、第３電解液保持部３４０、および、第２導電型のイオン交換膜３５０をこの順に有する。第２電極部材３１０は、非作用側導線３０５によって、電源部６０の第２導電型の端子に電気的に接続する。
【００３１】
第２電解液保持部３２０は、第２電極部材３１０に電気的に接続され、電解液を保持する。第１導電型のイオン交換膜３３０は、第２電極部材３１０との間で第２電解液保持部３２０を挟み、第１導電型のイオンを選択的に透過する。第３電解液保持部３４０は、第１導電型のイオン交換膜３３０において第２電解液保持部３２０と反対側に配され、電解液を保持する。第２導電型のイオン交換膜３５０は、第１導電型のイオン交換膜３３０との間で第３電解液保持部３４０を挟み、第２導電型のイオンを選択的に透過する。なお、第２電解液保持部３２０、および第３電解液保持部３４０が保持する電解液には、作用側電極構造体２００の第１電解液保持部２２０が保持する電解液と同様に、水の電気分解反応（水の酸化および還元反応）と比較して水の酸化還元電位より低い酸化還元電位を有する酸化および還元しやすい化合物が溶解した溶液を用いる。
【００３２】
作用側電極構造体２００の容器２６０、および、非作用側電極構造体３００の容器３６０は当接面に、それぞれ粘着性を有する作用側粘着面２６２および非作用側粘着面３６２を有する。これらは、図５に示す作用側粘着面２６２および非作用側粘着面３６２であり、上記のように、皮膚へ当接して作用側電極構造体２００および非作用側電極構造体３００をそれぞれ粘着保持する。
【００３３】
このように、イオントフォレーシス装置１０の作用側電極構造体２００および非作用側電極構造体３００が皮膚と当接した状態で、電源部６０から第１電極部材２１０および第２電極部材３１０に対して、イオントフォレーシスを適用するための電力が供給される（電圧がかけられる）と、第１電極部材２１０および第２電極部材３１０の間に皮膚を介して電流が流れて使用状態となる。
【００３４】
ここで、薬物イオンがアニオンである場合を例に、イオントフォレーシス装置１０の具体的構成についてさらに説明する。この場合、第１導電型は陰であり、第２導電型は陽である。したがって、作用側電極構造体２００の第１電極部材２１０はカソードとなり、非作用側電極構造体３００の第２電極部材３１０はアノードとなる。また、作用側電極構造体２００において、第２導電型のイオン交換膜２３０にはカチオン交換膜を用い、第１導電型のイオン交換膜２５０にはアニオン交換膜を用いる。また、作用側電極構造体２００において、第１導電型のイオン交換膜３３０にはアニオン交換膜を用い、第２導電型のイオン交換膜３５０にはカチオン交換膜を用いる。
【００３５】
イオントフォレーシス装置１０は、使用状態において、以下の作用効果を奏する。すなわち、作用側電極構造体２００では、薬液保持部２４０が保持する薬液に含まれる薬物イオンは、電気泳動によりカソードである第１電極部材２１０と反対側（皮膚側）へ移動し、薬液保持部２４０の皮膚側に配されて皮膚と当接する第１導電型のイオン交換膜２５０を透過して速やかに皮膚へ浸透する。これに対し、生体内のカチオンは第１導電型のイオン交換膜２５０を透過して薬液保持部２４０側へ移動することがない。したがって、安定した使用状態のもとでイオントフォレーシスにより薬物イオンを生体へ導入することができる。また、薬液保持部２４０に含まれる、アニオンである薬物イオンと対を成すカチオンは、第１電極部材２１０側へ移動し、カチオン交換膜である第２導電型のイオン交換膜２３０を透過して第１電解液保持部２２０側へ移動する。したがって、使用状態において、薬液保持部２４０のイオンバランスが崩れないので、ｐＨの変化は生じにくい。故に、通電抵抗が大きくなりにくいので、薬物イオンの輸送効率の低下を抑えることができる。
【００３６】
一方、非作用側電極構造体３００では、第３電解液保持部３４０が保持する電解液に溶解している化合物が水の酸化還元電位より低い酸化還元電位を有する化合物であるので、アノードである第２電極部材３１０において、水の電気分解反応は起こらない。したがって、水の電気分解反応で発生する気泡（酸素ガス）によって、第２電極部材３１０と第３電解液保持部３４０の保持する電解液との接触が妨げられることで通電抵抗が大きくなるのを防ぐことができる。
【００３７】
なお、薬物イオンがカチオンである場合は、第１導電型は陽であり、第２導電型は陰である。したがって、図８に示すイオントフォレーシス装置１０における、第１電極部材２１０および第２電極部材３１０の電気的な極性は逆になり、また、第２導電型のイオン交換膜２３０、第１導電型のイオン交換膜２５０、第１導電型のイオン交換膜３３０、および第２導電型のイオン交換膜３５０の種類（イオン選択特性）はそれぞれ反対のものになる。
【００３８】
本実施形態において、イオントフォレーシスの適用に供される薬物イオンとしては、例えば次のようなものがある。正に帯電する薬物イオンとして、麻酔剤（塩酸プロカイン、塩酸リドカインなど）、胃腸疾患治療剤（塩化カルニチンなど）、骨格筋弛緩剤（臭化バンクロニウムなど）、抗生物質（テトラサイクリン系製剤、カナマイシン系製剤、ゲンタマイシン系製剤）等が挙げられる。負に帯電する薬物イオンとして、ビタミン（以下、Ｖと略記する）剤（ＶＢ２、ＶＢ１２、ＶＣ、ＶＥ、葉酸など）、副腎皮質ホルモン（ヒドロコルチゾン系水溶性製剤、デキサメサゾン系水溶性製剤、プレドニソロン系水溶性製剤など）、抗生物質（ペニシリン系水溶性製剤、クロウムフェニコール系水溶性製剤）等が挙げられる。
【００３９】
また、イオントフォレーシスを適用するための電圧は、例えば、低周波治療器のようにパルス電圧でもよい。また、徐々に電圧を上げたり、あるいは、下げてもよい。体内を流れる電流は、第１電極部材２１０および第２電極部材３１０の面積や投与部位、さらには被投与者の個体差などによって増減させて、痛みや熱感を与えない程度に設定する。
【００４０】
また、電源部６０は、第１電極部材２１０および第２電極部材３１０に対してイオントフォレーシスを適用するための電圧を常時かけてもよいが、装置本体５０が皮膚と当接するのを検知する手段をさらに備えて、皮膚と当接したときだけイオントフォレーシスを適用するための電圧をかけてもよい。電源部６０は、接続部７０に対して着脱可能でもよく、あるいは、接続部７０と一体的に成形されたものでもよい。より具体的には、電池、定電圧装置、定電流装置、定電圧・定電流装置（ガルバノ装置）などが適当であり、携行性に優れていることが好ましい。
【００４１】
また、第１電極部材２１０、および第２電極部材３１０の電極材は、例えば、炭素、白金などの導電性材料など、薬物イオンの特性に応じて所望のものでよい。
【００４２】
また、作用側電極構造体２００の第１電解液保持部２２０、非作用側電極構造体３００の第２電解液保持部３２０および第３電解液保持部３４０は、上記のように、電解液として、水の電気分解反応（水の酸化および還元反応）と比較して水の酸化還元電位より低い酸化還元電位を有する酸化および還元しやすい化合物が溶解した溶液を用いることが好ましい。例えば、第一硫酸鉄（ＦｅＳＯ４）と第二硫酸鉄〔Ｆｅ２（ＳＯ４）３〕の混合水溶液、アスコルビン酸ナトリウム水溶液、乳酸およびフマル酸ナトリウムの混合水溶液、などが挙げられる。また、これら電解液の保持形態は、例えば、ゲル、あるいは所望の媒体（ガーゼ、吸水性高分子材料など）に含浸させたタイプのもの、あるいは電解液をそのまま保持する溶液タイプのものなどであってもよい。
【００４３】
また、アニオン交換膜は、例えば、高分子の側鎖に四級化されたアンモニウム基を有するもの、カチオン交換膜としては、例えば、高分子の側鎖にスルホン酸基を有するものなど所望のものでよく、これらは薬物イオンの種類などによって適宜組み合わせてもよい。
【００４４】
また、容器２６０および容器３６０は、非イオン伝導性および電気絶縁性を有し、さらに、可塑性、柔軟性、可撓性、および形状保持性の少なくとも一つを有する材料にて作製されるのが望ましい。例えば、アクリル、ポリ塩化ビニル、ポリアクリル、ポリアミド、ポリスルホン、ポリスチレン、ポリオキシメチレン、ポリカーボネート、ポリエステル、およびこれらの素材の共重合体などが適当である。
【００４５】
以上、本実施形態によれば、接続部溶着面９４が剥離されることなく包装部材８０を開封して除去することができるので、接続部７０の作用側導線２０５および非作用側導線３０５を傷めることなく開封されて除去することができる。
【００４６】
以上、本発明を実施の形態を用いて説明したが、本発明の技術的範囲は上記実施の形態に記載の範囲には限定されない。上記実施の形態に、多様な変更または改良を加えることができることは当業者に明らかである。その様な変更または改良を加えた形態も本発明の技術的範囲に含まれ得ることが、特許請求の範囲の記載から明らかである。
【図面の簡単な説明】
【００４７】
【図１】イオントフォレーシス装置包装品１５の上面図を示す。
【図２】図１のａ−ａ'断面を図１における右側から見た断面図を示す。
【図３】図１のｂ−ｂ'断面を図１における下側から見た断面図を示す。
【図４】包装部材８０が開封されて除去されたときの図１のｂ−ｂ'断面を図１における下側から見た断面図を示す。
【図５】包装部材８０が開封されて除去されたときの図１における裏側から見た下面図を示す。
【図６】イオントフォレーシス装置包装品２５の上面図を示す。
【図７】イオントフォレーシス装置包装品３５の上面図を示す。
【図８】イオントフォレーシス装置１０の概略側面図を示す。
【符号の説明】
【００４８】
１０  イオントフォレーシス装置、１５  イオントフォレーシス装置包装品、２５  イオントフォレーシス装置包装品、３５  イオントフォレーシス装置包装品、５０  装置本体、６０  電源部、７０  接続部、７２  基材、７４  コート材、８０  包装部材、８２  上側包装部材、８４  下側包装部材、９０  溶着面、９２  非溶着面、９４  接続部溶着面、２００  作用側電極構造体、２０５  作用側導線、２１０  第１電極部材、２２０  第１電解液保持部、２３０  第２導電型のイオン交換膜、２４０  薬液保持部、２５０  第１導電型のイオン交換膜、２６０  容器、３００  非作用側電極構造体、３０５  非作用側導線、３１０  第２電極部材、３２０  第２電解液保持部、３３０  第１導電型のイオン交換膜、３４０  第３電解液保持部、３５０  第２導電型のイオン交換膜、３６０  容器、４００  切断案内部、４０１  切断案内部、４０２  切断案内部、４１０  溝、４２０  切込み、４３０  溝、４３５  切込み、４４０  溝、４４５  切込み、４５０  切離用テープ、４５５  切込み、４６０  切離用テープ、４６５  切込み
【図１】
0004804904.tif 000002
【図２】
0004804904.tif 000003
【図３】
0004804904.tif 000004
【図４】
0004804904.tif 000005
【図５】
0004804904.tif 000006
【図６】
0004804904.tif 000007
【図７】
0004804904.tif 000008
【図８】
0004804904.tif 000009